(57)【要約】【課題】  姿勢の良い美しい歩き方をサポートするとともに、ヒップラインを美しく整え、さらに着用感にも優れるボトム衣類を提供する。【解決手段】  ボトム本体部１１０と、アンカーパネル部１２０と、パワーパネル部１３０とを含み、ボトム本体部１１０は、臀部を覆う後部分および前記後部分に向かい合う前部分とで構成され、アンカーパネル部１２０は、前記後部分の後中心から鼠径部手前の領域に臀溝に沿ったライン上に配置され、パワーパネル部１３０は、着用時に中臀筋を覆う位置に配置されてボトム本体部１１０の上縁側からアンカーパネル部１２０に至る領域に形成されており、パワーパネル部１３０の後側辺縁は臀部上部から中臀筋の後部を通るラインに沿って形成され、前側辺縁は中臀筋の前部を通るラインに沿って形成されており、パワーパネル部１３０の伸度は、左右方向の伸度が上下方向の伸度よりも大きく、アンカーパネル部１２０は、臀溝に沿う方向の伸度が、前記臀溝に沿う方向に略垂直な方向の伸度よりも大きい。【選択図】  図１
2018111895.tif 000002
【特許請求の範囲】
【請求項１】
ボトム衣類であって、
ボトム本体部と、アンカーパネル部と、パワーパネル部とを含み、
前記ボトム本体部は、臀部を覆う後部分および前記後部分に向かい合う前部分とで構成され、
前記アンカーパネル部は、前記後部分の後中心から鼠径部手前の領域に臀溝に沿ったライン上に配置され、
前記パワーパネル部は、着用時に中臀筋を覆う位置に配置され、
前記パワーパネル部は、前記ボトム本体部の上縁側から前記アンカーパネル部に至る領域に形成されており、
前記パワーパネル部の後側辺縁は、臀部上部から中臀筋の後部を通るラインに沿って形成され、
前記パワーパネル部の前側辺縁は、中臀筋の前部を通るラインに沿って形成されており、
前記パワーパネル部の伸度は、左右方向の伸度が、上下方向の伸度よりも大きく、
前記アンカーパネル部は、臀溝に沿う方向の伸度が、前記臀溝に沿う方向に略垂直な方向の伸度よりも大きいことを特徴とするボトム衣類。
【請求項２】
前記パワーパネル部の左右方向の伸度が１５０％から２５０％の範囲内にあり、前記パワーパネル部の上下方向の伸度が１００％から１５０％の範囲内にあることを特徴とする、請求項１記載のボトム衣類。
【請求項３】
前記アンカーパネル部の臀溝に沿う方向の伸度が１００％から２１０％の範囲内にあり、前記アンカーパネル部の前記臀溝に沿う方向に略垂直な方向の伸度が５０％から１００％の範囲内にあることを特徴とする、請求項１または２記載のボトム衣類。
【請求項４】
前記パワーパネル部は、着用時に中臀筋を覆う位置に配置される布部材であって、
前記パワーパネル部の後側辺縁は、ボトム本体部とは連結されていないことを特徴とする、請求項１から３のいずれか一項に記載のボトム衣類。
【請求項５】
さらに、前記パワーパネル部の前側辺縁が、ボトム本体部とは連結されていないことを特徴とする、請求項４記載のボトム衣類。
【請求項６】
前記ボトム本体部の左右方向の伸度が１００％から３００％の範囲内にあり、前記ボトム本体部の上下方向の伸度が１７０％から３００％の範囲内にあることを特徴とする、請求項４または５記載のボトム衣類。
【請求項７】
さらに、前記ボトム本体部の前部分にフロントパネル部を有しており、前記フロントパネル部の左右方向の伸度が１５０％から２２０％の範囲内にあり、前記フロントパネル部の上下方向の伸度が６０％から１００％の範囲内にあることを特徴とする、請求項４から６のいずれか一項に記載のボトム衣類。
【発明の詳細な説明】
【技術分野】
【０００１】
本発明は、ボトム衣類に関する。
【背景技術】
【０００２】
従来から、運動機能の向上や、関節および関節周囲の筋肉をサポートすることを目的とした衣類が知られている。これらの衣類には、運動時における関節や筋肉の動作が考慮されて設計されたものがある。例えば、体軸に対する大転子の横方向のブレや膝関節の内転を最小限に抑えて、動作時における体軸のブレを抑制することができる下肢部保護衣料が提案されている（例えば、特許文献１参照）。
【先行技術文献】
【特許文献】
【０００３】
【特許文献１】特開２００６−３２２１２１号公報
【発明の概要】
【発明が解決しようとする課題】
【０００４】
しかし、上記目的によって設計された衣類においては、強い緊締力を有する部材を広範囲に使用するために締め付け感が強くなることが多かった。この種の衣類において、着用時に苦しくない、動きにくくない、といったことが、毎日着用できる、または、毎日着用したくなるという観点からは重要である。
【０００５】
そこで、本発明は、姿勢の良い美しい歩き方をサポートするとともに、ヒップラインを美しく整え、さらに着用感にも優れる、すなわち、締め付け感を軽減し、快適なパワーで日常的に着用できるボトム衣類を提供することを目的とする。
【課題を解決するための手段】
【０００６】
前記目的を達成するために、本発明のボトム衣類は、
ボトム本体部と、アンカーパネル部と、パワーパネル部とを含み、前記ボトム本体部は、臀部を覆う後部分および前記後部分に向かい合う前部分とで構成され、前記アンカーパネル部は、前記後部分の後中心から鼠径部手前の領域に臀溝に沿ったライン上に配置され、前記パワーパネル部は、着用時に中臀筋を覆う位置に配置され、前記パワーパネル部は、前記ボトム本体部の上縁側から前記アンカーパネル部に至る領域に形成されており、前記パワーパネル部の後側辺縁は、臀部上部から中臀筋の後部を通るラインに沿って形成され、前記パワーパネル部の前側辺縁は、中臀筋の前部を通るラインに沿って形成されており、前記パワーパネル部の伸度は、左右方向の伸度が、上下方向の伸度よりも大きく、前記アンカーパネル部は、臀溝に沿う方向の伸度が、前記臀溝に沿う方向に略垂直な方向の伸度よりも大きいことを特徴とする。
【発明の効果】
【０００７】
本発明によれば、姿勢の良い美しい歩き方をサポートするとともに、ヒップラインを美しく整え、さらに着用感にも優れるボトム衣類を提供することができる。
【図面の簡単な説明】
【０００８】
【図１】図１は、本発明の第１の実施形態に係るボトム衣類１００の着用状態の図であり、図１（Ａ）はボトム衣類１００の裏側を示す背面斜視図、図１（Ｂ）はボトム衣類１００の裏側を示す背面図、図１（Ｃ）はボトム衣類１００の裏側を示す前面図である。
【図２】図２は、本発明の第２の実施形態に係るボトム衣類２００の着用状態の図であり、図２（Ａ）はボトム衣類２００の裏側を示す背面斜視図、図２（Ｂ）はボトム衣類２００の裏側を示す背面図、図２（Ｃ）はボトム衣類２００の裏側を示す前面図である。
【図３】図３は、本発明の第３の実施形態に係るボトム衣類３００の着用状態の図であり、図３（Ａ）はボトム衣類３００の裏側を示す背面図、図３（Ｂ）はボトム衣類３００の裏側を示す前面図である。
【図４】図４は、片脚立ち評価の結果を示すグラフである。
【図５】図５は、歩行評価の結果を示すグラフである。
【発明を実施するための形態】
【０００９】
本発明のボトム衣類において、前記パワーパネル部の左右方向の伸度が１５０％から２５０％の範囲内にあり、前記パワーパネル部の上下方向の伸度が１００％から１５０％の範囲内にあることが好ましい。
【００１０】
本発明のボトム衣類において、前記アンカーパネル部の臀溝に沿う方向の伸度が１００％から２１０％の範囲内にあり、前記アンカーパネル部の前記臀溝に沿う方向に略垂直な方向の伸度が５０％から１００％の範囲内にあることが好ましい。
【００１１】
本発明のボトム衣類において、前記パワーパネル部は、着用時に中臀筋を覆う位置に配置される布部材であって、
前記パワーパネル部の後側辺縁は、ボトム本体部とは連結されていないことが好ましい。
【００１２】
本発明のボトム衣類において、さらに、前記パワーパネル部の前側辺縁が、ボトム本体部とは連結されていないことが好ましい。
【００１３】
本発明のボトム衣類において、前記ボトム本体部の左右方向の伸度が１００％から３００％の範囲内にあり、前記ボトム本体部の上下方向の伸度が１７０％から３００％の範囲内にあることが好ましい。
【００１４】
本発明のボトム衣類において、さらに、前記ボトム本体部の前部分にフロントパネル部を有しており、前記フロントパネル部の左右方向の伸度が１５０％から２２０％の範囲内にあり、前記フロントパネル部の上下方向の伸度が６０％から１００％の範囲内にあることが好ましい。
【００１５】
中臀筋は、骨盤から大腿骨をつないでいる筋肉の一部で、臀部の内側に位置するインナーマッスルである。この中臀筋は、年齢とともに衰えやすい筋肉である。中臀筋は、股関節から、脚を外に開く（外転）、脚を後ろに引く（伸展）、大腿骨を外側にひねる（外旋）ことが主な動きであり、この筋力が弱ると、姿勢の左右バランスが崩れ、歩く姿勢にも影響するといわれている。二足歩行においては、右脚を上げた時には左側の中臀筋を縮め、また、左脚を上げた時には右側の中臀筋を縮めて、体が傾かないように姿勢のバランスを取っている。このとき、中臀筋の機能が低下していると、脚を上げた側の腰が下がってしまい、安定した姿勢を保てない。本発明は、中臀筋の機能と動きに着目し、中臀筋を衣類でサポートすることによって、姿勢の良い美しい歩き方や、美しいヒップラインを実現しようとするものである。すなわち、中臀筋をサポートする、とは、ゆるんだ中臀筋を引っ張るための補助を行うことを意味する。
【００１６】
本発明のボトム衣類について、例をあげて説明する。ただし、本発明は、以下の例に限定および制限されない。
【００１７】
（第１の実施形態）
図１に、本発明の第１の実施形態に係るボトム衣類１００を示す。図１は着用状態の図であり、ボトム衣類１００の内側の状態を示すために、裏側（肌側）を図示している。図１（Ａ）は、ボトム衣類１００の背面斜視図、図１（Ｂ）は、ボトム衣類１００の背面図、図１（Ｃ）は、ボトム衣類１００の前面図である。本実施形態のボトム衣類１００は、ボトム本体部１１０と、アンカーパネル部１２０と、パワーパネル部１３０とを含む、大腿部まで覆うロング丈のボトム衣類である。なお、図１（Ａ）に示す符号Ｌ１は、身丈（上下）方向を示しており、符号Ｌ２は、わたり（左右）方向を示すものである。身丈（上下）方向およびわたり（左右）方向については、図１（Ａ）以降の図においても同様であるが、図面の簡略化のため、図１（Ａ）以外の図では、符号Ｌ１および符号Ｌ２は省略している。
【００１８】
本実施形態では、ボトム本体部１１０は、本体布（身頃）１１１、腹部部材（前身頃）１１２およびクロッチ部材（クロッチ布）１１３から構成される。本実施形態において、本体布（身頃）１１１は本発明における前部分の一部と後部分とを構成し、腹部部材（前身頃）１１２は本発明における前部分を構成する。
【００１９】
ボトム衣類１００着用時の中臀筋を覆う位置には、パワーパネル部１３０が配置されている。そして、本体布１１１の後中心から鼠径部手前の領域に臀溝に沿ったライン上に、アンカーパネル部１２０が配置されている。鼠径部にアンカーパネル部があると、座った際などに靱帯やリンパ節を圧迫したり、歩行時（脚を運ぶ時）にスムーズな動きがしにくくなるため、アンカーパネル部１２０は鼠径部手前の領域に配置される。本実施形態においては、アンカーパネル部１２０およびパワーパネル部１３０は、ボトム本体部１１０とは別の布部材であり、アンカーパネル部１２０は、ボトム本体部１１０（本体布１１１）の肌側に縫着されて固定されている。そして、アンカーパネル部１２０の前側部分は、腹部部材（前身頃）１１２まで延びて配置されている。
【００２０】
パワーパネル部１３０は、ボトム本体部１１０の上縁側からアンカーパネル部１２０に至る領域に形成されており、パワーパネル部１３０の後側辺縁は、臀部上部から中臀筋の後部を通るラインに沿って形成され、パワーパネル部１３０の前側辺縁は、中臀筋の前部を通るラインに沿って形成されている。このように、パワーパネル部１３０は、ヒップの膨らみを囲むように形成されているので、膨らみをつぶさずに丸みのあるヒップを形成することができる。
【００２１】
本実施形態では、パワーパネル部１３０は、アンカーパネル部１２０が縫着固定されたボトム本体部１１０の肌側に、その上部および下部で縫着固定されており、後側辺縁および前側辺縁はボトム本体部１１０とは連結されていない。パワーパネル部１３０の後側辺縁をボトム本体部１１０から遊離させることによって、段差の発生や食い込みを防ぎ、ヒップラインを美しく整えることができる。また、後側辺縁と前側辺縁とをともにボトム本体部１１０から遊離させることで、ボトム本体部１１０の素材（伸度）にかかわらず、より効果的に中臀筋をサポートすることができる。
【００２２】
パワーパネル部１３０の伸度は、左右方向の伸度が、上下方向の伸度よりも大きい。パワーパネル部１３０は、左右方向の伸度が１５０％から２５０％の範囲内にあり、上下方向の伸度が１００％から１５０％の範囲内にあることが好ましく、左右方向の伸度が１８０％から２３０％の範囲内にあり、上下方向の伸度が１１５％から１４３％の範囲内にあることがより好ましい。パワーパネル部１３０の伸度を前記範囲内で左右方向の伸度を上下方向に伸度よりも大きくすることで、上下方向で中臀筋をしっかりとサポートしつつ、締め付け感は軽減させることができる。
【００２３】
そして、アンカーパネル部１２０は、臀溝に沿う方向の伸度が、前記臀溝に沿う方向に略垂直な方向の伸度よりも大きい。アンカーパネル部１２０は、臀溝に沿う方向の伸度が１００％から２１０％の範囲内にあり、前記臀溝に沿う方向に略垂直な方向の伸度が５０％から１００％の範囲内にあることが好ましく、臀溝に沿う方向の伸度が１５０％から２００％の範囲内にあり、前記臀溝に沿う方向に略垂直な方向の伸度が７４％から９０％の範囲内にあることがより好ましい。
【００２４】
アンカーパネル部１２０の幅は３．０ｃｍ〜１２．０ｃｍが好ましく、より好ましくは、４．５ｃｍ〜８．０ｃｍである。また、アンカーパネル部１２０の幅は、全体が同一の幅となるように形成してもよいし、位置によって幅を変えてもよい。例えば、臀裂近くの領域のアンカーパネル部の幅を広くすると、ヒップのサポート効果を併せて得ることができる。
【００２５】
パワーパネル部１３０の下部はアンカーパネル部１２０で固定されることとなり、パワーパネル部１３０を上下方向に伸ばす力が働く場合にも、アンカーパネル部１２０の位置で体に密着固定されてずり上がりが抑制されるので、中臀筋をしっかりと押さえることが可能となる。アンカーパネル部１２０は、臀溝に沿う方向の伸度をその垂直方向の伸度よりも大きくすることで、着用時に体にボトム衣類１００を密着固定させて、ヒップと太腿にはっきり区切りをつけて、ヒップラインを美しく整えることができる。
【００２６】
ボトム本体部において、本体布１１１の左右方向の伸度が１００％から３００％の範囲内にあり、上下方向の伸度が１７０％から３００％の範囲内にあることが好ましい。より好ましくは、左右方向の伸度が１０５％から２００％の範囲内にあり、上下方向の伸度が１９５％から２８０％の範囲内にあることである。パワーパネル部１３０およびアンカーパネル部１２０の伸度を上述の範囲内とすれば、本体布１１１としては、例えば従来のガードルよりも伸度の大きい素材を使用することも可能である。
【００２７】
本実施形態において、腹部部材（前身頃）１１２は、ボトム本体部１１０として本体布１１１と同じ素材で作製することもできるが、本発明におけるフロントパネル部として、形成することもできる。フロントパネル部は、左右方向の伸度が１５０％から２２０％の範囲内にあり、上下方向の伸度が６０％から１００％の範囲内にあることが好ましい。より好ましくは、左右方向の伸度が１６８％から２０６％の範囲内にあり、上下方向の伸度が７４％から９０％の範囲内にあることである。フロントパネル部の伸度が前記範囲内とすることで、腹部の突出を押さえて体型補整の効果を得ることができる。
【００２８】
ボトム本体部１１０（本体布１１１）に使用できる素材は特に制限されないが、身体にフィットする、身体に密着する伸縮性のある素材であればよい。ボトム本体部１１０に使用できる素材としては、例えば、経編地または丸編地等が挙げられ、ツーウェイトリコット、ラッセル、パワーネット等を用いることができる。アンカーパネル部１２０およびパワーパネル部１３０は、一方向の伸度が他方向の伸度よりも大きい部材である。これらの部材には、ツーウェイトリコット、ラッセル、パワーネット等のタテヨコで伸度の異なる素材を用いることができる。また、フロントパネル部（腹部部材（前身頃）１１２）としては、天竺、ツーウェイトリコット、ラッセル、パワーネット等の素材を用いることができる。
【００２９】
本実施形態において、アンカーパネル部１２０、パワーパネル部１３０およびフロントパネル部（腹部部材（前身頃）１１２）は、別部材をボトム本体部１１０に取り付けて形成されている。ただし、本発明はこれに限られず、アンカーパネル部１２０、パワーパネル部１３０およびフロントパネル部（腹部部材（前身頃）１１２）を、例えば、樹脂プリントのように樹脂をボトム本体部１１０に塗布して伸縮性を下げることにより形成してもよいし、さらには、ボトム本体部１１０の組織を部分的に変更することによって伸縮性を調整することにより形成してもよい。また、抜染または抜蝕加工を利用して形成してもよいし、編地の形成する糸種を部分的に変更するといった手法によって編地の伸縮性を変化させることによって形成してもよい。
【００３０】
（第２の実施形態）
図２に、本発明の第２の実施形態に係るボトム衣類２００を示す。図２は着用状態の図であり、ボトム衣類２００の内側の状態を示すために、裏側（肌側）を図示している。図２（Ａ）は、ボトム衣類２００の背面斜視図、図２（Ｂ）は、ボトム衣類２００の背面図、図２（Ｃ）は、ボトム衣類２００の前面図である。本実施形態のボトム衣類２００は、ボトム本体部２１０と、アンカーパネル部２２０と、パワーパネル部２３０とを含む、ショート丈のボトム衣類である。
【００３１】
本実施形態では、ボトム本体部２１０は、本体布（身頃）２１１、腹部部材（前身頃）２１２およびクロッチ部材（クロッチ布）２１３から構成される。本実施形態において、本体布（身頃）２１１は本発明における前部分の一部と後部分とを構成し、腹部部材（前身頃）２１２は本発明における前部分を構成する。
【００３２】
ボトム衣類２００は、第１の実施形態とは異なり、アンカーパネル部２２０の前側部分は、腹部部材（前身頃）２１２まで延びておらず、パワーパネル部２３０の前側辺縁で留まっている。ボトム衣類２００はボクサータイプのショーツ形状であり、このデザインでは腹部部材（前身頃）２１２までアンカーパネル部２２０を延ばすと、着用時にアンカーパネル部２２０が鼠径部にかかってしまう。そのため、アンカーパネル部２２０を前記の位置としている。パワーパネル部２３０は、アンカーパネル部２２０が縫着固定されたボトム本体部２１０の肌側に、その上部と下部、および前側辺縁で縫着固定されており、後側辺縁はボトム本体部２１０とは連結されていない。
【００３３】
（第３の実施形態）
図３に、本発明の第３の実施形態に係るボトム衣類３００を示す。図３は着用状態の図であり、ボトム衣類３００の内側の状態を示すために、裏側（肌側）を図示している。図３（Ａ）は、ボトム衣類３００の背面図、図３（Ｂ）は、ボトム衣類３００の前面図である。本実施形態のボトム衣類３００は、ボトム本体部３１０と、アンカーパネル部３２０と、パワーパネル部３３０とを含む、ショート丈のボトム衣類である。本実施形態においては、ボトム本体部３１０の前部分の本体布３１１Ａには、レース素材が使用されている。そして、アンカーパネル部３２０の前側部分は、ボトム本体部の前部分の本体布３１１Ａまで延びている。
【００３４】
本実施形態では、ボトム本体部３１０は、本体布（身頃）３１１、３１１Ａ、腹部部材（前身頃）３１２およびクロッチ部材（クロッチ布）３１３から構成される。本実施形態において、本体布（身頃）３１１および３１１Ａは本発明における前部分の一部と後部分とを構成し、腹部部材（前身頃）３１２は本発明における前部分を構成する。アンカーパネル部３２０およびパワーパネル部３３０は、ボトム本体部３１０とは別の布部材であり、アンカーパネル部３２０は、ボトム本体部３１０（本体布３１１）の肌側に縫着されて固定されている。そして、アンカーパネル部３２０の前側部分は、腹部部材（前身頃）３１２および本体布３１１Ａまで延びて配置されている。パワーパネル部３３０は、アンカーパネル部３２０が縫着固定されたボトム本体部３１０の肌側に、その上部および下部で縫着固定されており、後側辺縁および前側辺縁はボトム本体部３１０とは連結されていない。
【００３５】
本発明の実施形態１に係るロング丈のボトム衣類を作製し、着用評価を行った。着用評価として、片脚立ち評価および歩行評価を行った。各評価は、モニターとして４０歳代〜６０歳代の女性２４名（４０歳代８名、５０歳代８名、６０歳代８名）について、ボトム衣類を着用した状態で行った。また、対照評価として、同じモニターにボトム衣類を着用していない状態で同様の評価を行った。また、片脚立ち評価および歩行評価を行った際の主観評価をあわせて行った。なお、評価に使用したボトム衣類１００の各パーツの伸度は次のとおりである。
パワーパネル部の左右方向の伸度：２０６％
パワーパネル部の上下方向の伸度：１３０％
アンカーパネル部の臀溝に沿う方向の伸度：１８７％
アンカーパネル部の前記臀溝に沿う方向に略垂直な方向の伸度：８２％
ボトム本体部の左右方向の伸度：１８９％
ボトム本体部の上下方向の伸度：２１４％
フロントパネル部の左右方向の伸度：１８７％
フロントパネル部の上下方向の伸度：８２％
【００３６】
［片脚立ち評価］
目を閉じて、片脚立ちが可能な時間を計測した。この評価は、美しい姿勢で歩ける力の目安となり、時間が長いほど、重心のブレに耐えて体幹を保つ力が高いことを示す。
【００３７】
［歩行評価］
歩行時の速度を、１０メートルのタンデムゲイト歩行時に要する時間を計測することで評価した。この評価は、スタスタと歩ける力の目安となり、時間が短いほど、安定した姿勢で快適に歩く力が高いことを示す。
【００３８】
［主観評価］
モニターによる回答方法は、自覚判定（アンケートへの回答）のＶＡＳ（Ｖｉｓｕａｌ  Ａｎａｌｏｇｕｅ  Ｓｃａｌｅ）によるアンケート方法を用い、次の３つの質問項目について行った。ＶＡＳは各項目の主観評価として、紙に書かれた１０ｃｍの直線（評価軸）上に、感じた程度を記入するものである。回答は、直線上に記入された×の位置に応じて０〜１００に数値化して評価した。
【００３９】
（質問項目１）歩行時、片脚が地面を離れている時、体の傾きをどの程度感じましたか？
評価軸：１００（全く傾くことなく直立に片脚立ちができていた）
〜０（片脚立ちした時に上げていた脚をすぐ着きそうになる）
【００４０】
（質問項目２）歩行時、体幹に左右の揺れをどの程度感じましたか？
評価軸：１００（全く左右の揺れを感じることはなかった）
〜０（歩行時にはいつも左右に体が揺れている）
【００４１】
（質問項目３）歩行の際、片脚立ちになる時に「立っている方の脚」に負担を感じましたか？
評価軸：１００（全く負担を感じることはなかった）
〜０（負担を感じていてすぐにでも脚をおろしたくなる）
【００４２】
片脚立ち評価および歩行評価の結果を図４、図５および表１に、主観評価結果を表２に示す。
【００４３】
【表１】
2018111895.tif 000003
【００４４】
【表２】
2018111895.tif 000004
【００４５】
片脚立ち評価については、図４および表１に示すように、４０歳代、５０歳代、６０歳代のいずれの世代においても、本発明品であるボトム衣類を着用することによって、片脚立ち可能な時間がアップしていることがわかる。片脚立ち可能時間は全世代平均で、このボトム衣類を着用した場合には、着用していない場合の約１４０％となった。個別では、着用なしで４０秒、着用で９０秒と、５０秒もアップした４０歳代のモニターもいた。これらの結果から、本発明品の着用によって、体が傾かないように姿勢のバランスがより取れるようになっており、中臀筋のサポートが良好に行われていることが確認できた。
【００４６】
歩行評価については、図５および表１に示すように、４０歳代、５０歳代、６０歳代のいずれの世代においても、本発明品であるボトム衣類を着用することによって、１０メートルのタンデムゲイト歩行時に要する時間が短くなっており、歩行の速度が速くなっていることがわかる。歩行時間は全世代平均で、このボトム衣類を着用した場合には、着用していない場合の約１８％の短縮となった。個別では、着用なしで３５．３秒、着用で２２．３秒と、１３秒もアップした６０歳代のモニターもいた。これらの結果から、本発明品の着用によって、安定した姿勢で快適に歩く力が向上しており、中臀筋のサポートが良好に行われていることが確認できた。
【００４７】
主観評価においても、表２に示すように、４０歳代、５０歳代、６０歳代の全世代で、全質問項目において本発明品であるボトム衣類の着用による効果が実感されるという結果となった。具体的には、このボトム衣類を着用することによって、質問項目１においては、歩行時に片脚が地面を離れている時に、体の傾きを感じにくくなり、質問項目２においては、歩行時に体幹に左右の揺れを感じにくくなり、質問項目３においては、歩行の際、片脚立ちになる時に「立っている方の脚」に負担を感じにくくなるという結果が得られた。これらの結果から、本発明のボトム衣類は、着用による効果が体感としても得られていることが確認できた。
【００４８】
以上、本発明の具体例として、ロング丈のボトム衣類およびショート丈のボトム衣類を挙げて本発明を説明した。このように、本発明のボトム衣類は、大腿部を覆う部分の有無にかかわらず、各種ボトム衣類に適用することができる。本発明のボトム衣類は、これらの具体例で記載されたもののみに限定されるものではなく、種々の態様が可能である。例えば、ガードル、ショーツ以外にも、レオタード、水着、その他各種の衣類に適用できる。
【産業上の利用可能性】
【００４９】
本発明によれば、姿勢の良い美しい歩き方をサポートするとともに、ヒップラインを美しく整え、さらに着用感にも優れるボトム衣類を提供することができる。本発明の用途は限定されず、広い分野で使用することができる。本発明は種々の態様が可能であり、例えば、ガードル等のインナー以外にも、体型補整用衣類、スポーツ衣類、アウター、医療用衣類（サポーター）など、各種の衣類に適用できる。
【符号の説明】
【００５０】
１００、２００、３００  ボトム衣類
１１０、２１０、３１０  ボトム本体部
１１１、２１１、３１１、３１１Ａ  本体布（身頃）
１１２、２１２、３１２  腹部部材（前身頃）
１１３、２１３、３１３  クロッチ部材（クロッチ布）
１２０、２２０、３２０  アンカーパネル部
１３０、２３０、３３０  パワーパネル部
Ｌ１  身丈（上下）方向
Ｌ２  わたり（左右）方向
【図１】
2018111895.tif 000005
【図２】
2018111895.tif 000006
【図３】
2018111895.tif 000007
【図４】
2018111895.tif 000008
【図５】
2018111895.tif 000009